(57)【特許請求の範囲】
【請求項１】
面状の放射面と、
前記放射面に対向して配置された少なくとも１つの光源を実装した光源基板と、
前記放射面と光源との間に配置され、領域ごとで透過、屈折、散乱、反射のいずれか１つの光学特性が変化し、その光学特性の分布が一つの光源に対する相対位置で定められ、反射率分布を持つ反射膜、開口率分布を持つ反射膜もしくはレンズの少なくとも一つで制御されるシート状に成形された光学制御部材と、を備え、
前記光学制御部材は、微小な周期のパターン群を有し、かつ、前記光学制御部材と前記放射面との間隔が前記パターン群の周期よりも大きく、
前記光学制御部材は、前記光源基板に対して前記光源を覆うドーム状に形成され、領域ごとに前記光源からの入光分布に応じた透過率分布を有している照明装置。
【請求項２】
前記光学制御部材のパターン群は、周期０．５ｍｍ〜２．０ｍｍ、半径０．１ｍｍから２ｍｍの間の大きさを持つ反射膜もしくはレンズのパターン群である請求項１に記載の照明装置。
【請求項３】
前記光学制御部材は、透明シートと、この透明シート上に形成された透過反射層と、を有し、厚さ０．１〜１．０ｍｍのシート状に成形されている請求項１又は２に記載の照明装置。
【請求項４】
前記光源基板上に形成された反射層を備え、前記光学制御部材は、前記光源基板および反射層の少なくとも一方に固定されている請求項１に記載の照明装置。
【請求項５】
前記光学制御部材の透過率分布は、前記光源に近い領域ほど反射率が高い請求項１ないし４のいずれか１項に記載の照明装置。
【請求項６】
前記放射面を形成するドーム形状の外囲器を備え、前記光学制御部材の透過率分布は、特定方向を中心に反射率が低い請求項１ないし５のいずれか１項に記載の照明装置。
【請求項７】
前記光学制御部材は、天頂部が前記光源側に凹んだドーム形状に形成されている請求項１に記載の照明装置。
【請求項８】
前記放射面はほぼ平面に形成され、
前記光学制御部材は、前記光源の配列と同じかその倍数で繰り返す周期構造を持つ透過率分布を有し、前記光源に近い領域の透過率が他の領域の透過率よりも小さい分布を有している請求項１ないし３のいずれか１項に記載の照明装置。
【請求項９】
前記光学制御部材は、前記光源に対応した領域のみを覆い、その大きさが放射面全体の大きさよりも小さい請求項８記載の照明装置。
【請求項１０】
前記光学制御部材は、前記光源に対応して前記光源より放射面側に突出したドーム状の領域と、前記光源と同じ高さ位置に配置され前記ドーム状の領域を繋ぐ領域とを有し、前記光源面に沿った領域は反射を主体とした光学特性としていることを特徴とする請求項８記載の照明装置。
【請求項１１】
液晶表示パネルと、
前記液晶表示パネルに対向して配置され、前記液晶表示パネルに光を照射する請求項１ないし３のいずれか１項に記載の照明装置と、
を備えた液晶表示装置。
【発明の詳細な説明】
【技術分野】
【０００１】
本発明の実施形態は、光源と発光面と、その間に光源像を拡散させるあるいは光源の配光を制御する光学部材とを備え、平面や曲面あるいは球面で発光させる面状照明装置、およびこれを用いた液晶表示装置に関する。
【背景技術】
【０００２】
面状照明装置は、光源から出た光を面状の発光面から放射する装置である。このような面状照明装置は、それ自体で照明装置として使用される他に、液晶表示パネルと組合わせて液晶表示装置にも使われている。
【０００３】
面状照明装置は、半球型、電球型の発光面を持つ電球型照明装置や、平面の発光面を持つ平面照明装置が存在する。光源は、近年発光ダイオード（ＬＥＤ）が使用される例が多い。ＬＥＤを用いた照明装置が種々提案されている。ＬＥＤは調光がしやすい、メンテナンスがしやすい等の利点がある一方、従来の照明装置に適用する場合一つ問題が生じる。
【０００４】
電球型照明装置に関しては、ＬＥＤ光源は光の指向性が正面方向に偏っているため、従来の白熱電球、蛍光電球のような均一配光分布を得ることが難しい。そこで、所要の配光分布を達成する照明装置として、多面体からなるＬＥＤ基板を使用することで均一配光分布を達成する手段が提案されている。
【０００５】
平面照明装置は、光源を発光面の直下に面状に配置した直下型と、光源を板状の導光体の側面に配置したサイド型とがある。直下型の平面表示装置は光利用効率に優れ、また、サイド型の平面表示装置は薄さに優れている。光の利用効率が高いことと、構造が簡便であることから直下型の照明装置の割合が高いが、直下型においても薄型化の要求が大きい。この場合、ＬＥＤ光源は指向性の高さが問題となり、発光面上で光源直上部の輝度が明るくなる輝度ムラが発生しやすい。このため、発光面の輝度を均一化するためには照明装置の厚み大きくする必要があり、照明装置の薄型化の妨げとなる。
【先行技術文献】
【特許文献】
【０００６】
【特許文献１】特許第４３６５８８４号公報
【特許文献２】特許第４２９０８８７号公報
【発明の概要】
【発明が解決しようとする課題】
【０００７】
電球型照明装置では、多面体基板を作成することが煩雑であり、さらに、基板支持部の機械強度を確保しつつ放熱性も確保する必要があること等、製品設計上の困難さも大きい。また、他の方法として、ＬＥＤ基板を囲う外容器に拡散性の強い材料を使用することで、外容器内での光の反射を増やす方法もある。しかし、ＬＥＤ光源の強い指向性を外容器の拡散性のみで打ち消すには限界があり、また必要以上に容器内での反射回数が増えることで、光取り出し効率も低下する問題がある。
【０００８】
この発明は以上の点を鑑みてなされたもので、その課題は新たな光学的な補助手段を提供して用途に応じた特性向上を図ることが可能な照明装置を提供することにある。電球型照明装置の分野においては、汎用の平面型ＬＥＤ基板を使いながら光取り出し効率も高く、配光制御性に優れた高品質な照明装置を提供することにある。  
平面照明装置分野においては、光取り出し効率が高く、輝度均一性を維持しながら薄型高強度の面状照明装置を提供することにある。
【課題を解決するための手段】
【０００９】
実施形態によれば、照明装置は、面状の放射面と、前記放射面に対向して配置された少なくとも１つの光源を実装した光源基板と、前記放射面と光源との間に配置され、領域ごとで透過、屈折、散乱、反射のいずれか１つの光学特性が変化し、その光学特性の分布が一つの光源に対する相対位置で定められ、反射率分布を持つ反射膜、開口率分布を持つ反射膜もしくはレンズの少なくとも一つで制御されるシート状に成形された光学制御部材と、を備え、前記光学制御部材は、微小な周期のパターン群を有し、かつ、前記光学制御部材と前記放射面との間隔が前記パターン群の周期よりも大きく、前記光学制御部材は、前記光源基板に対して前記光源を覆うドーム状に形成され、領域ごとに前記光源からの入光分布に応じた透過率分布を有している。
【図面の簡単な説明】
【００１０】
【図１ａ】図１ａは、第１の実施形態に係る照明装置の断面図。
【図１ｂ】図１ｂは、第１の変形例に係る照明装置の断面図。
【図１ｃ】図１ｃは、第２の変形例に係る照明装置の断面図。
【図２ａ】図２ａは、光学制御部材を備えていない比較例に係る照明装置の配光分布の実測値を示す図。
【図２ｂ】図２ｂは、前記第２の変形例に係る照明装置の配光分布の実測値を示す図。
【図３】図３は、比較例に係る照明装置の概略構成、光利用率、および本実施形態に係る照明装置の概略構成、光利用率を比較して示す図。
【図４ａ】図４ａは、前記実施形態における透過反射層の形成パターンを照明装置の光軸を中心として極座標系に展開して示して示す平面図。
【図４ｂ】図４ｂは、他の実施形態に係る透過反射層の形成パターンを照明装置の光軸を中心として極座標系に展開して示して示す平面図。
【図４ｃ】図４ｃは、他の実施形態に係る透過反射層の形成パターンを照明装置の光軸を中心として極座標系に展開して示して示す平面図。
【図５ａ】図５ａは、第３の変形例に係る照明装置の断面図。
【図５ｂ】図５ｂは、第４の変形例に係る照明装置の断面図。
【図６ａ】図６ａは、第２の実施形態に係る平面状照明装置の断面図。
【図６ｂ】図６ｂは、第５の変形例に係る平面状照明装置の断面図。
【図６ｃ】図６ｃは、第６の変形例に係る平面状照明装置の断面図。
【図７】図７は、変形例に係る照明装置の光源および光学制御部材を概略的に示す斜視図。
【図８】図８は、第３の実施形態に係る液晶表示装置を示す断面図。
【発明を実施するための形態】
【００１１】
以下、図面を参照しながら、実施形態に係る面状照明装置について詳細に説明する。  
図１は、第１の実施形態に係る光学制御部材を備えた照明装置の断面図である。
【００１２】
本実施形態によれば、電球型の照明装置は、平坦な回路基板３と、この回路基板３の上面に形成された下面反射板４と、回路基板３上に配設された１つまたは複数の点光源５と、点光源５の光取り出し側に配設され点光源５および下面反射板４を覆う、例えば、ドーム状のグローブ、すなわち、外囲器６と、点光源５と外囲器６との間に配置された透明あるいは半透明シート８と、回路基板３の下面側に設けられた放熱部２と、電球口金１と、を備えている。外囲器６は、ガラス等の透明あるいは半透明の材料で形成され、外囲器６の外面は照明装置の放射面を構成している。
【００１３】
半透明シート８は、厚さ０．３mmのポリカーボネート（ＰＣ）シートの成型品であり、点光源５側の表面に透過反射層７が形成されている。透過反射層７は、半透明シート８の光源側、外囲器側どちら側に形成しても良く、またその両側に形成しても良い。半透明シート８は、真空成型、圧空成型など既存の成型法によりその形状が形成される。実施形態では、半透明シート８はほぼ半球形状に形成され、点光源５を覆うように設けられている。半透明シート８の成型は、透過反射層７の形成前、形成後どちらでも可能であるが、形状が複雑な場合は印刷後に成型するプロセスが簡便である。
【００１４】
半透明シート８の材料は、透過率の高さを重視し、ポリカーボネート(ＰＣ)、ポリメタクリル酸メチル（ＰＭＭＡ）、ポリエチレンテレフタレート（ＰＥＴ）、ポリスチレン（ＰＳ）もしくは環状オレフィンコポリマー（ＣＯＣ）が望ましいが、特に高温となる回路基板３側に設置する場合は難燃性を考慮してＰＣが最も望ましい。半透明シート８は、必要に応じて散乱粒子を含めることで、透過光の拡散性を上げることができ、照明装置全体の輝度ムラ、配光分布のばらつきを低減することができる。
【００１５】
半透明シート８は、回路基板３あるいは外囲器６と樹脂接着剤もしくは挟み込み等の図示しない方法で固定してある。半透明シート８の厚さは汎用で調達できる０．１〜１．０ｍｍ程度が望ましく、成型の伸びや透過反射層７の加工し易さに応じて適時選択可能である。半透明シート８およびこの上に形成された透過反射層７は、シート状の光学制御部材２０を構成している。
【００１６】
上記のように構成された照明装置によれば、点光源５から出た光は透過反射層７に達する。透過反射層７に到達した光（図の破線矢印）は、透過反射層７により一部は透過、一部は反射し、それぞれに透過反射層７の面法線方向を主軸として拡散する（図の実線矢印）。このため、透過反射層７は、点光源５の光を受けてあたかも第２の面光源のように振舞う。また、透過反射層７に光を透過する開口があるようなパターンでは、同開口を抜けた光はそのまま元の方向を維持したまま素通りする。
【００１７】
以上のように、半透明シート８および透過反射層７を有する光学制御部材２０は、領域ごとで透過、屈折、散乱、反射の光学特性が変化し、その光学特性の分布は一つの点光源５に対する相対位置で定められ、反射率分布を持つ反射膜、開口率分布を持つ反射膜もしくレンズの少なくとも一つで制御される。これにより、点光源５から外囲器６側に取り出される光の配光分布が変換され、最終的に外囲器６から射出される光は、透過反射層７を適切に制御することで所望の配光分布が達成される。
【００１８】
通常、ＬＥＤなど点光源５から出射する光は、光源の直上部(中央部)が最大となり配光特性が半値全角で１００〜１６０度の分布をとる。従来の電球のように電球の側面あるいは背面方向まで配光を拡げようとすれば、透過反射層７の光源直上部の反射率を局所的に増やす必要がある。そこで、透過反射層７は、位置によって開口率が異なるパターンが形成されており、その開口率を制御することにより反射率と透過率を制御している。透過反射層７の微小周期の開口パターン群を有し、かつ、光学制御部材２０と放射面との間隔が開口パターン群の周期よりも大きく形成されている。開口パターンは間隔が０．５ｍｍ〜２．０ｍｍ、大きさは０．１ｍｍ〜２．０ｍｍの範囲であり、形成プロセスは、パッド印刷、スクリーン印刷、スプレー塗布などの既存のプロセスにて対応可能である。さらに、透過反射層７は、その膜厚を変化させることによっても反射率と透過率を制御することが可能である。この場合の形成プロセスは、塗布法などの既存のプロセスにて複数回塗布を行うことなどにより対応可能である。
【００１９】
透明あるいは半透明シート８と外囲器６との距離は、透過反射層７の開口パターンの間隔よりも大きくすることが望ましい。これは、透過反射層７を通過直後の透過光には開口パターンによって定められる輝度分布が発生するが、その後の外囲器６に到達するまでの空間で光が拡散されることで輝度ムラが解消するためである。
【００２０】
下面反射板４は、反射シートを用いることで高い反射率を達成することができるが、より簡便には回路基板３の上面に高反射率のレジストを塗布することでも形成可能である。  
点光源５は白色でもその他の色でも適用可能であり、点光源５の種類に関して限定を受けるものではない。また、複数のＬＥＤチップを集約配列し、これを蛍光体で覆うように形成したＬＥＤ光源の場合、光源の中心と周辺とで蛍光体変換度合いの差による色差を生じるが、このような光源であっても拡散反射を主体とする上述の透過反射層７であれば照明装置からの光の出射方向により色差を生じにくくすることができる。
【００２１】
また、透過反射層７が無い場合は点光源５が小さい面積で輝くため眩しさを感じるが、透過反射層７により見た目の光源イメージが透過反射層７の面積に拡大され、眩しさが大幅に緩和される。この効果は、透過反射層７の形状を大きくするほど強くなる。
【００２２】
上記構成によれば、光利用効率に優れ、容易に配光や輝度分布までも制御することができ、所望の配光分布を持つ電球型照明装置が得られる。
【００２３】
図１ｂは、第１の変形例に係る電球型照明装置を示している。第１の変形例によれば、半透明シート８は、点光源５の上方で下面反射板４とほぼ平行に位置するように平坦に形成され、この半透明シート８の点光源５側の表面上に透過反射層７が形成されている。また、半透明シート８の上面にレンズ９群を配置されている。レンズ９は半透明シート８の成型時に同時に成型することが可能であり、あるいは、スクリーン印刷等成型前後の加工でも作成できる。レンズ９を併用することにより、透過する光を所望の方向に集光することができる。
【００２４】
図１ｃは、第２の変形例に係る電球型照明装置を示している。第２の変形例によれば、半透明シート８は、点光源５の上方で点光源５側に頂点を有する円錐領域８ｂを有し、この円錐領域８ｂで透過反射層７の反射率が高い設計としている。
【００２５】
上記のように構成された照明装置によれば、点光源５から出た光の大部分は、半透明シート８の円錐領域８ｂに達し、透過反射層７により主に円錐コーンの垂線方向に反射される。すなわち、透過反射層７から散乱される光線の主軸が電球の側面あるいは背面方向を向くように形成されたものである。このため、外囲器６側に取り出される光の配光分布は側面方向に拡がって、従来の白熱電球に近い広い配光分布を実現することが出来る。このように半透明シート８の形状や透過反射層７の反射率分布を制御することにより、電球の配光を適時制御することができる。
【００２６】
なお、第１および第２の変形例において、照明装置の他の構成は、前述した第１の実施形態と同一であり、同一の部分には同一の参照符号を付して、その詳細な説明を省略する。
【００２７】
図２ａは、上述した実施形態に係る光学制御部材を備えていない照明装置の配光分布の実測値を示し、配光特性は半値全角で約９０度の分布をとっている。図２ｂは、本実施形態に係る光学制御部材を備えた照明装置の配光分布、例えば、図１ｃに示す第２の変形例に係る照明装置の配光分布の実測値を示している。これらの配光分布の比較から、第２の変形例に係る照明装置によれば、点光源５から側面方向への配光が増えると共に、点光源５の後方へも配光が広がり、天井灯に好適な所望の配光分布が得られていることが判る。
【００２８】
図３は、比較例に係る照明装置（現行電球）、および、図１ａに示した第１の実施形態に係る照明装置の半透明シート８および透過反射層７の形状を種々変えたときの光利用効率と配光分布を解析した結果を示している。図３（ａ−１）および（ｂ−１）は、半透明シート８および透過反射層７を持たない電球の光利用効率と配光分布を示している。これらの比較から、半透明シート８および透過反射層７を点光源５に向けて円錐コーン状（図ａ−３、ａ−４、ｂ−３、ｂ−４）とすることで、透過反射層７で反射される光線を側面に向けて有効的に放出し、照明装置内部での反射回数を低減して発光効率を向上させるとともに、側面側への配光強度を向上させることができることがわかる。
【００２９】
図４ａ、図４ｂ、図４ｃは、前述した透過反射層７の形成パターンを照明装置の光軸を中心として極座標系に展開して示した展開図である。図４ａに示す実施形態によれば、透過反射層７には、光を透過する透過部１２が形成され、透過部１２が形成されていない部分には光の６０％以上を反射、４０％以下を透過する反射部１１が形成されている。すなわち、この実施形態では、ホール型の透過反射層７を構成しており、反射部１１に複数の透過部１２が均一の間隔でパターニングされた構造となっている。これにより、透過反射層７は、光の一部を透過、光の一部を反射し、所望の配光分布を形成する。
【００３０】
図４ｂに示すは、透過反射層７の開口パターンを極座標系とし、径方向のパターン間隔を等間隔とした例をしめしている。ＬＥＤなどの点光源においては、光源から透過反射層７に入射する光量は、光源直上部を中心として動径と偏角の関数で記述することができる。スクリーン印刷などの既存のパターン形成プロセスにおける解像度の制約をみたしながら、透過反射層７に入射する光量分布により適応した開口率分布を持つ開口パターンを形成することができる。これにより、光源から離れた高い開口率を必要とする領域ほど円周方向の開口パターンピッチを広げたパターンとしている。
【００３１】
図４ｃは、透過反射層７を、開口パターンの無い一様な反射部１１を繰り返し重ね印刷で形成した例を示している。各重ね印刷層の形状は図示したような対称円に限らず、使用する点光源の配光分布にあわせ、また所望の配光分布に合わせて任意に設定することができる。このような開口パターンの無い透過反射層７であれば、光源から出射された光すべてに対して透過反射層７による散乱効果を与えることができ、その厚さで位置による効果の強弱を制御することができる。
【００３２】
図５ａおよび図５ｂは、第３および第４の変形例に係る電球型照明装置をそれぞれ示している。第３および第４の変形例によれば、半透明シート８は、点光源５の上方で点光源５側に頂点を有する円錐領域８ｂを有し、同領域８ｂで透過反射層７の反射率が高い設計としている。
【００３３】
すなわち、図５ａに示すように、第３の変形例によれば、半透明シート８の上面側に透過反射層７が形成されている。半透明シート８および透過反射層７は、円錐領域８ｂを有し、この円錐領域８ｂは、点光源５を中心として、全周に亘って対象に形成されている。半透明シート８は、点光源５を完全には覆わず開口を持つ形状としている。すなわち、半透明シート８は、中心部に開口を有し、この開口内に点光源５に位置した状態で、下面反射板４上に配置されている。
【００３４】
更に、透過反射層７は、全面にわたって、反射率を最大とするように開口無し厚さ最大となるように設計されている。点光源５から側面方向に出た光（図の破線矢印）は透過反射層７にて遮蔽および反射され（図の実線矢印）、最終的に外囲器６から射出される光は照明方向に集光した配光分布が達成される。このような半透明シート８および透過反射層７を用いることにより、照明装置の配光を広げずに特定方向、ここでは、点光源５の光軸方向、に指向させることができる。
【００３５】
図５ｂに示すように、第４の変形例によれば、半透明シート８の上面側に透過反射層７が形成されている。半透明シート８および透過反射層７は、円錐領域８ｂを有し、この円錐領域８ｂは、点光源５を完全には覆わず開口を持つ形状としている。すなわち、半透明シート８は、中心部に開口を有し、この開口内に点光源５に位置した状態で、下面反射板４上に配置されている。半透明シート８および透過反射層７は、開口中心における法線の向きが、点光源５の光軸の向きからずれるように形成されている。この場合、点光源５から出た光は透過反射層７にて反射され、最終的に外囲器６から出射される光は、半透明シート８の開口中心における法線の向きに傾斜して集光する配光分布が達成される。
【００３６】
次に、第２の実施形態に係る面状照明装置について説明する。  
図６ａは、第２の実施形態に係る平面状照明装置を示している。この照明装置１０は、上面の開口した矩形箱状の筐体１４と、筐体の開口を塞ぐよう筐体に固定された拡散板１３と、を備えている。拡散板１３は、筐体１４の底壁１４ａと隙間を置いて平行に対向している。拡散板１３の外面は、照明装置１０の面状の放射面を構成している。
【００３７】
筐体１４の内面の全面に亘って反射層１５が形成されている。底壁１４ａ上において、反射層１５上に複数の点光源５が間隔を置いて配置されている。点光源５としては、例えば、ＬＥＤを用いている。これら点光源５と拡散板１３との間に、透明シート８および透過反射層７を有する、例えば、厚さ０．１〜１．０ｍｍのシート状に成形された光学制御部材２０が設けられ、筐体１４に固定されている。
【００３８】
透明シート８は、拡散板１３のほぼ全面と対向して設けられ、透過反射層７は、透明シート８の点光源５側の表面上に形成されている。前述した第１の実施形態と同様に、透過反射層７は、所望の開口パターン、反射率分布および透過分布を有している。点光源５が複数並んで設けられている場合、透過反射層７は、点光源５の配列と同じ周期構造で点光源５から遠ざかるほど透過率が高くなる透過率分布を有している。これにより、照明装置を薄く構成しても、点光源５上の強い光を周囲に反射伝播させて拡散板１３上の輝度を均一化している。このように、光学制御部材２０は、領域ごとで透過、屈折、散乱、反射の光学特性が変化し、その光学特性の分布は１つの点光源５に対する相対位置で定められ、反射率分布を持つ反射膜、開口率分布を持つ反射膜もしくレンズの少なくとも一つで制御される。このような光学制御部材２０を設けることにより、照明装置１０の拡散板１３上の表面輝度を均一化することができる。
【００３９】
光学制御部材２０は、各点光源５の直上部分で、点光源に向かって円錐形状に突出する凸部２２を有している。この円錐状の形状により、前述した作用によって効果的に反射光を面全域に拡げ、（ａ）構成に比べて効率を向上させることができる。また、円錐状の凸部２２により、透過反射層７と拡散板１３との間に透過反射層のパターンピッチより大きな空間が設けられており、透過反射層７のパターンが拡散板１３に投影されないように構成されている。  
上記の構成によれば、光利用効率に優れ、軽量であるとともに薄型化が可能な平面状照明装置が得られる。
【００４０】
図６ｂは、第５の変形例に係る平面状照明装置を示している。第５の変形例によれば、光学制御部材２０は、点光源５毎に分けて形成され、それぞれ対応する点光源５を覆うように筐体１４の底壁１４ａ上に設けられている。各光学制御部材２０は、各点光源５の直上部分で、点光源に向かって円錐形状に突出する凸部２２を有している。
【００４１】
照明装置の他の構成は第２の実施形態に係る照明装置と同一であり、同一の部分には同一の参照符号を付してその詳細な説明を省略する。  
上記構成によれば、光学制御部材２０は、前述した第２の実施形態と同一の機能を発揮しつつ、透明シート８の面積を小さくすることができる。これにより、光学制御部材を製造する際、小さくなった分だけ多面取りによる生産効率の向上が可能であり、製造コストの低減を図ることができる。
【００４２】
第５の変形例において、照明装置の他の構成は第２の実施形態に係る照明装置と同一であり、同一の部分には同一の参照符号を付してその詳細な説明を省略する。
【００４３】
図６ｃは、第６の変形例に係る平面状照明装置を示している。第６の変形例によれば、透明シート８および透過反射層７を有するシート状の光学制御部材２０は、筐体１４の底壁１４ａ上に配置され、光源面に沿った領域、ここでは、筐体１４の底面に接する領域を有し、この領域を全てベタ反射膜７ｄとしている。光学制御部材２０の点光源５と対向する領域は、点光源５を覆うように放射面側に突出したドーム状に形成され、更に、各点光源５の直上部分で、点光源に向かって円錐形状に突出する凸部２２を有している。
【００４４】
照明装置の他の構成は第２の実施形態に係る照明装置と同一であり、同一の部分には同一の参照符号を付してその詳細な説明を省略する。  
筐体１４の底面には、図示しない配線やコネクタやＬＥＤ基板など光を吸収する部材が多く設けられ、土台となる筐体反射層１５の反射率にも限界がある。そのため、ベタ反射膜７ｄがこれら低反射部材を覆い下側反射層として機能することで、光源基板側の反射層は点光源５近傍のみの管理とすることができる。これにより、製造コストの低減を図ることができるとともに、発光効率も向上する。
【００４５】
前記第２の実施形態、第５、第６の変形例において、複数の点光源５は互いに十分な距離を持って配列した構成としたが、これに限らず、図７に示すような線光源あるいは点光源が１方向に密に配列された構成としてもよい。この場合、半透明シート８および透過反射層７の形状を光源５が連なる方向と同じ１次元方向に引き伸ばした形状とし、同時に、光源５に向かって突出する細長い凸部２２を設ける構成としてもよい。このような構成においても、第２の実施形態と同様の作用効果を発揮することができる。
【００４６】
図８は、第３の実施形態に係る液晶表示装置を示している。この液晶表示装置は、例えば、前述した第２の実施形態と同一の構成を有する平面状照明装置１０と、この照明装置１０の放射面に対向して設けられた液晶表示パネル３０と、を備えている。液晶表示パネル３０は、矩形状のアレイ基板３２、アレイ基板３２と隙間を置いて対向配置された矩形状の対向基板３４、およびこれらアレイ基板３２と対向基板３４との間に封入された液晶層３６を備えている。バックライトユニットとして機能する平面状照明装置１０は、液晶表示パネル３０のアレイ基板３２と隣接対向して設けられ、均一な輝度の照明光を液晶表示パネル３０に照射する。
【００４７】
上記構成によれば、バックライトユニットして平面状照明装置１０を用いることにより、光利用効率に優れ、軽量であるとともに薄型化が可能な液晶表示装置を提供することができる。
【００４８】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、光学制御部材を構成するシートは、半透明に限らず、透明なシートとしてもよい。
【符号の説明】
【００４９】
１…電球口金、２…放熱部、３…回路基板、４…下面反射層、５…点光源、
６…外囲器、７…透過反射層、８…半透明シート、９…レンズ、
１０…透過反射層開口部、１１…透過反射層反射部、１３…拡散板、１４…筐体、
１５…反射層、２０…光学制御部材、３０…液晶表示パネル
【図１ａ】
0005550505.tif 000002
【図１ｂ】
0005550505.tif 000003
【図１ｃ】
0005550505.tif 000004
【図２ａ】
0005550505.tif 000005
【図２ｂ】
0005550505.tif 000006
【図３】
0005550505.tif 000007
【図４ａ】
0005550505.tif 000008
【図４ｂ】
0005550505.tif 000009
【図４ｃ】
0005550505.tif 000010
【図５ａ】
0005550505.tif 000011
【図５ｂ】
0005550505.tif 000012
【図６ａ】
0005550505.tif 000013
【図６ｂ】
0005550505.tif 000014
【図６ｃ】
0005550505.tif 000015
【図７】
0005550505.tif 000016
【図８】
0005550505.tif 000017